(57)【要約】【課題】洗面所やトイレ等にて使用される、手に付着した水分を強風にて吹き飛ばす手乾燥装置において、水滴の飛散を防止することができる手乾燥装置を提供することを目的とする。【解決手段】本体上部に手が挿入可能な手挿入部２と、前記手挿入部２の入口近傍に設けた送出ノズル部３と、前記送出ノズル部３に対向する位置に設けた吸引ノズル部６からなる構成において、手挿入部２に手が挿入された場合に、送出ノズル部３から送出される空気を手に当てて水滴を吹き飛ばすとともに、吸引ノズル部６により水滴と空気を吸引することにより、水滴の飛散を防止することができる手乾燥装置１が得られる。【選択図】図１
2008188143.tif 000002
【特許請求の範囲】
【請求項１】
本体上部に手が挿入可能な手挿入部と、前記手挿入部の入口近傍に設けた送出ノズル部と、前記送出ノズル部に接続した送風路と、前記送風路に接続された送風手段と、前記送出ノズル部に対向する位置に設けた吸引ノズル部と、前記吸引ノズル部に接続した吸引路と、前記吸引路に接続した吸引手段と、前記手挿入部に手が挿入されたことを検知する手検知手段を有する手乾燥装置において、前記手挿入部に手が挿入された時に、前記送出ノズル部から送出される空気を手に当てて水滴を吹き飛ばすとともに、前記吸引ノズル部により水滴と空気を吸引することを特徴とした手乾燥装置。
【請求項２】
送出ノズル部から送出される空気量に対して、吸引ノズル部から吸引される空気量を大きくしたことを特徴とした請求項１記載の手乾燥装置。
【請求項３】
吸引ノズル部から空気の吸引が開始された一定時間後に、送出ノズル部からの空気の送出が開始されることを特徴とした請求項１記載の手乾燥装置。
【請求項４】
送風手段と吸引手段を１つとしたことを特徴とした請求項１記載の手乾燥装置。
【請求項５】
機械的スイッチを手検知手段としたことを特徴とした請求項１から４いずれかに記載の手乾燥装置。
【請求項６】
タイマーで一定時間運転することを特徴とした請求項５記載の手乾燥装置。
【請求項７】
赤外線発光素子と赤外線受光素子を組合せて手検知手段としたことを特徴とした請求項１から４のいずれか記載の手乾燥装置。
【請求項８】
測距センサーを手検知手段としたことを特徴とした請求項１から４のいずれかに記載の手乾燥装置。
【請求項９】
吸引ノズル部の近傍にオゾン発生装置を設けたことを特徴とした請求項１から８のいずれかに記載の手乾燥装置。
【請求項１０】
吸引ノズル部の近傍にマイナスイオン発生装置を設けたことを特徴とした請求項１から８のいずれかに記載の手乾燥装置。
【請求項１１】
吸引路の内部にオゾン発生装置を設けたことを特徴とした請求項１から８のいずれかに記載の手乾燥装置。
【請求項１２】
吸引路の内部にマイナスイオン発生装置を設けたことを特徴とした請求項１から８のいずれかに記載の手乾燥装置。
【請求項１３】
吸引路の内部に殺菌灯を設けたことを特徴とした請求項１から８のいずれかに記載の手乾燥装置。
【発明の詳細な説明】
【技術分野】
【０００１】
本発明は、洗面所やトイレ等にて手を洗い、濡れた手を乾燥させる手乾燥装置に関する。
【背景技術】
【０００２】
従来、この種の手乾燥装置では、直線状に並んだ多数の穴から送出される高圧空気流により、手の水滴を飛ばし、乾燥させるものが知られていた（例えば特許文献１参照）。
【０００３】
以下、その手乾燥装置について図１４を参照しながら説明する。
【０００４】
図１４に示すように、手乾燥装置１０１は本体内部に設けた電動送風機１０２と、前記電動送風機１０２に接続する送風路１０３と、前記送風路１０３に接続する直線状に並んだ多数の穴を有するノズル１０４と、前記ノズル１０４の下部に乾燥室１０５を有し、前記電動送風機１０２を動作させることにより、ノズル１０４より高圧空気を吹出し、手に付着した水滴を飛ばし、手を乾燥させるものである。
【特許文献１】特開２００６−２５９３９号公報（段落番号００１８，図３）
【発明の開示】
【発明が解決しようとする課題】
【０００５】
このような従来の手乾燥装置の方法では、高圧空気により吹き飛ばされた水滴が飛散して衣服や床に付着して不清潔になるという課題があった。
【０００６】
本発明は、上記従来の課題を解決するもので、高圧空気により吹き飛ばされた水滴を吸引することにより水滴の飛散を抑制することができる手乾燥装置を提供することを目的としている。
【課題を解決するための手段】
【０００７】
本発明の手乾燥装置は、本体上部に手が挿入可能な手挿入部と、前記手挿入部の入口近傍に設けた送出ノズル部と、前記送出ノズル部に接続した送風路と、前記送風路に接続された送風手段と、前記送出ノズル部に対向する位置に設けた吸引ノズル部と、前記吸引ノズル部に接続した吸引路と、前記吸引路に接続した吸引手段と、前記手挿入部に手が挿入されたことを検知する手検知手段を設けた構成としたものである。
【０００８】
この手段により、前記手挿入部に手が挿入された場合に、前記送出ノズル部から送出される空気を手に当てて水滴を吹き飛ばすとともに、前記吸引ノズル部により水滴と空気を吸引することにより、水滴の飛散を防止することができる手乾燥装置が得られる。
【０００９】
また、送出ノズル部から送出される空気量に対して、吸引ノズル部から吸引される空気量を大きくしたものである。
【００１０】
この手段により、前記送出ノズル部から送出された空気は全て前記吸引ノズル部に吸引することが可能となり、空気が手挿入部の外部へ出ないため、より水滴の飛散を防止することができる手乾燥装置が得られる。
【００１１】
また、吸引ノズル部から空気の吸引が開始された一定時間後に、送出ノズル部からの空気の送出が開始されるものである。
【００１２】
この手段により、手に付着した水滴は、前記送出ノズル部から送出された空気に吹き飛ばされる前に、前記吸引ノズル部に吸引されているため、より水滴の飛散を防止することができる手乾燥装置が得られる。
【００１３】
また、送風機の送風側を送風手段とし、吸込み側を吸引手段として、前記送風手段と前記吸引手段を１つの送風機で構成したものである。
【００１４】
この手段により、構成を簡素化し、安価にすることができる手乾燥装置が得られる。
【００１５】
また、機械的スイッチを手検知手段としたものである。
【００１６】
この手段により、手が手挿入部に挿入されたことを検知できる手乾燥装置が得られる。
【００１７】
また、タイマーで一定時間運転する構成としたものである。
【００１８】
この手段により、手検知手段により手が検知された時に一定時間運転することができる手乾燥装置が得られる。
【００１９】
また、赤外線発光素子と赤外線受光素子を組合せて手検知手段としたものである。
【００２０】
この手段により、手が手挿入部に挿入されたことを検知できる手乾燥装置が得られる。
【００２１】
また、測距センサーを手検知手段としたものである。
【００２２】
この手段により、手が手挿入部に挿入されたことを検知できる手乾燥装置が得られる。
【００２３】
また、吸引ノズル部の近傍にオゾン発生装置を設けたものである。
【００２４】
この手段により、オゾンを発生させ、細菌が繁殖し難くなり、吸引ノズル部を清潔に保つことができる手乾燥装置が得られる。
【００２５】
また、吸引ノズル部の近傍にマイナスイオン発生装置を設けたものである。
【００２６】
この手段により、マイナスイオンを発生させ、細菌が繁殖し難くなり、吸引ノズル部を清潔に保つことができる手乾燥装置が得られる。
【００２７】
また、吸引路の内部にオゾン発生装置を設けたものである。
【００２８】
この手段により、オゾンを発生させることにより細菌が繁殖し難くなり、吸引路の内部を清潔に保つことができる手乾燥装置が得られる。
【００２９】
また、吸引路の内部にマイナスイオン発生装置を設けたものである。
【００３０】
この手段により、マイナスイオンを発生させることにより細菌が繁殖し難くなり、吸引路の内部を清潔に保つことができる手乾燥装置が得られる。
【００３１】
また、吸引路の内部に殺菌灯を設けたものである。
【００３２】
この手段により、紫外線を照射することにより細菌が繁殖し難くなり、吸引路の内部を清潔に保つことができる手乾燥装置が得られる。
【発明の効果】
【００３３】
本発明によれば、本体上部に手が挿入可能な手挿入部と、前記手挿入部の入口近傍に設けた送出ノズル部と、前記送出ノズル部に接続した送風路と、前記送風路に接続された送風手段と、前記送出ノズル部に対向する位置に設けた吸引ノズル部と、前記吸引ノズル部に接続した吸引路と、前記吸引路に接続した吸引手段と、前記手挿入部に手が挿入されたことを検知する手検知手段を設けた手乾燥装置において、前記手挿入部に手が挿入された場合に、前記送出ノズル部から送出される空気を手に当てて水滴を吹き飛ばすとともに、前記吸引ノズル部により水滴と空気を吸引することにより、水滴の衣類や床への飛散を防止することができる手乾燥装置を提供できる。
【００３４】
また、送出ノズル部から送出される空気量に対して、吸引ノズル部から吸引される空気量を大きくしたものであり、前記送出ノズル部から送出された空気は全て前記吸引ノズル部に吸引することが可能となり、空気が手挿入部の外部へ出ないため、より水滴の飛散を防止することができる手乾燥装置を提供できる。
【００３５】
また、吸引ノズル部から空気の吸引が開始された一定時間後に、送出ノズル部からの空気の送出が開始されるものり、手に付着した水滴は、前記送出ノズル部から送出された空気に吹き飛ばされる前に、前記吸引ノズル部に吸引されているため、より水滴の飛散を防止することができる手乾燥装置を提供できる。
【００３６】
また、送風機の送風側を送風手段とし、吸込み側を吸引手段として、前記送風手段と前記吸引手段を１つの送風機で構成したものであり、構成を簡素化し、安価にすることができる手乾燥装置を提供できる。
【００３７】
また、機械的スイッチを手検知手段としたものであり、手が手挿入部に挿入されたことを検知できる手乾燥装置を提供できる。
【００３８】
また、タイマーで一定時間運転する構成としたものであり、手検知手段により手が検知された時に一定時間運転することができる手乾燥装置を提供できる。
【００３９】
また、赤外線発光素子と赤外線受光素子を手検知手段としたものであり、手が手挿入部に挿入されたことを検知できる手乾燥装置を提供できる。
【００４０】
また、測距センサーを手検知手段としたものであり、手が手挿入部に挿入されたことを検知できる手乾燥装置を提供できる。
【００４１】
また、吸引ノズル部の近傍にオゾン発生装置を設けたものであり、オゾンを発生させ、細菌が繁殖し難くなり、吸引ノズル部を清潔に保つことができる手乾燥装置を提供できる。
【００４２】
また、吸引ノズル部の近傍にマイナスイオン発生装置を設けたものであり、マイナスイオンを発生させ、細菌が繁殖し難くなり、吸引ノズル部を清潔に保つことができる手乾燥装置を提供できる。
【００４３】
また、吸引路の内部にオゾン発生装置を設けたものであり、オゾンを発生させることにより細菌が繁殖し難くなり、吸引路の内部を清潔に保つことができる手乾燥装置を提供できる。
【００４４】
また、吸引路の内部にマイナスイオン発生装置を設けたものであり、マイナスイオンを発生させることにより細菌が繁殖し難くなり、吸引路の内部を清潔に保つことができる手乾燥装置を提供できる。
【００４５】
また、吸引路の内部に殺菌灯を設けたものであり、紫外線を照射することにより細菌が繁殖し難くなり、吸引路の内部を清潔に保つことができる手乾燥装置を提供できる。
【発明を実施するための最良の形態】
【００４６】
本発明の請求項１記載の発明は、本体上部に手が挿入可能な手挿入部と、前記手挿入部の入口近傍に設けた送出ノズル部と、前記送出ノズル部に接続した送風路と、前記送風路に接続された送風手段と、前記送出ノズル部に対向する位置に設けた吸引ノズル部と、前記吸引ノズル部に接続した吸引路と、前記吸引路に接続した吸引手段と、前記手挿入部に手が挿入されたことを検知する手検知手段を設けた手乾燥装置において、前記手挿入部に手が挿入された場合に、前記送出ノズル部から送出される空気を手に当てて水滴を吹き飛ばすとともに、前記吸引ノズル部により水滴と空気を吸引することにより、水滴の飛散を防止することができる作用を有する。
【００４７】
また、送出ノズル部から送出される空気量に対して、吸引ノズル部から吸引される空気量を大きくしたものであり、前記送出ノズル部から送出された空気は全て前記吸引ノズル部に吸引することが可能となり、空気が手挿入部の外部へ出ないため、より水滴の飛散を防止することができる作用を有する。
【００４８】
また、吸引ノズル部から空気の吸引が開始された一定時間後に、送出ノズル部からの空気の送出が開始されるものであり、手に付着した水滴は、前記送出ノズル部から送出された空気に吹き飛ばされる前に、前記吸引ノズル部に吸引されているため、より水滴の飛散を防止することができる作用を有する。
【００４９】
また、送風機の送風側を送風手段とし、吸込み側を吸引手段として、前記送風手段と前記吸引手段を１つの送風機で構成したものであり、構成を簡素化し、安価にすることができる作用を有する。
【００５０】
また、機械的スイッチを手検知手段としたものであり、手が手挿入部に挿入されたことを検知できる作用を有する。
【００５１】
また、タイマーで一定時間運転する構成としたものであり、手検知手段により手が検知された時に一定時間運転することができる作用を有する。
【００５２】
また、赤外線発光素子と赤外線受光素子を組合せた手検知手段としたものであり、手が手挿入部に挿入されたことを検知できる作用を有する。
【００５３】
また、測距センサーを手検知手段としたものであり、手が手挿入部に挿入されたことを検知できるできる作用を有する。
【００５４】
また、吸引ノズル部の近傍にオゾン発生装置を設けたものであり、オゾンを発生させ、細菌が繁殖し難くなり、吸引ノズル部を清潔に保つことができる作用を有する。
【００５５】
また、吸引ノズル部の近傍にマイナスイオン発生装置を設けたものであり、マイナスイオンを発生させ、細菌が繁殖し難くなり、吸引ノズル部を清潔に保つことができる作用を有する。
【００５６】
また、吸引路の内部にオゾン発生装置を設けたものであり、オゾンを発生させることにより細菌が繁殖し難くなり、吸引路の内部を清潔に保つことができる作用を有する。
【００５７】
また、吸引路の内部にマイナスイオン発生装置を設けたものであり、マイナスイオンを発生させることにより細菌が繁殖し難くなり、吸引路の内部を清潔に保つことができる作用を有する。
【００５８】
また、吸引路の内部に殺菌灯を設けたものであり、紫外線を照射することにより細菌が繁殖し難くなり、吸引路の内部を清潔に保つことができる作用を有する。
【００５９】
（実施の形態１）
図１に示すように、手乾燥装置１は本体上部に手が挿入可能な手挿入部２と、前記手挿入部２の入口近傍に設けた送出ノズル部３と、前記送出ノズル部３に接続した送風路４と、前記送風路４に接続された送風手段５と、前記送出ノズル部３に対向する位置に設けた吸引ノズル部６と、前記吸引ノズル部６に接続した吸引路７と、前記吸引路７に接続した吸引手段８と、前記手挿入部２に手が挿入されたことを検知する手検知手段９により構成される。
【００６０】
送風手段５としては、送風できればよく、例えば、送風機などがある。吸引手段８としては、吸引できればよく、例えば、ポンプ、送風機の吸込み側などがある。送出ノズル部３は空気が吹出さればよく、例えば、吹出しノズル、噴出ノズル、吹出し孔などがある。吸引ノズル部６は空気が吸込まれればよく、例えば、吸込みノズル、吸込み口、吸込み孔などがある。
【００６１】
上記構成において、手挿入部２に手が挿入された場合に、送出ノズル部３から送出される空気を手に当てて水滴を吹き飛ばすとともに、吸引ノズル部６により水滴と空気を吸引することにより、水滴の飛散を防止することができる。
【００６２】
（実施の形態２）
次に、本発明の実施の形態２について図面を参照しながら説明する。なお，実施の形態１と同一のものは同一番号を付し、その詳細な説明を省略する。
【００６３】
図２に示すように、手乾燥装置１は送出ノズル部３から送出される空気量より吸引ノズル部６から吸引される空気量を大きくしたものである。例えば、吸引ノズル部６から吸引される空気量を１．２倍程度送出ノズル部３から送出される空気量より大きくすることにより、送出ノズル部３から送出された空気以外を不必要に吸引することなく、送出ノズル部３から送出された空気を全て吸引ノズル部６に吸引することが可能となり、水滴の飛散を防止しての、省エネにして吸引を行うことができるものである。
【００６４】
上記構成において、送出ノズル部３から送出された空気は全て、吸引ノズル部６に吸引することが可能となり、空気が手挿入部２の外部へ出ないため、より水滴の飛散を防止することができる。
【００６５】
（実施の形態３）
次に、本発明の実施の形態３について図面を参照しながら説明する。なお、実施の形態１、２と同一のものは同一番号を付し、その詳細な説明を省略する。
【００６６】
図３に示すように、手乾燥装置１は吸引ノズル部６から空気の吸引が開始された一定時間後、たとえば２秒後に、送出ノズル部３からの空気の送出が開始されるものである。
【００６７】
上記構成において、手に付着した水滴は、送出ノズル部３から送出された空気に吹き飛ばされる前に、吸引ノズル部６に吸引されているため、より水滴の飛散を防止することができる。
【００６８】
（実施の形態４）
次に、本発明の実施の形態４について図面を参照しながら説明する。なお、実施の形態１乃至３と同一のものは同一番号を付し、その詳細な説明を省略する。
【００６９】
図４に示すように、手乾燥装置１は１つの送風機で送風手段５と吸引手段８を行う送風吸引手段１１を構成したものである。
【００７０】
上記構成において、構成を簡素化し、安価にすることができる。
【００７１】
（実施の形態５）
次に、本発明の実施の形態５について図面を参照しながら説明する。なお、実施の形態１乃至４と同一のものは同一番号を付し、その詳細な説明を省略する。
【００７２】
図５に示すように、手乾燥装置１は機械的スイッチ１２を手検知手段９としたものである。機械的スイッチとしては、押しボタンスイッチなどがある。
【００７３】
上記構成において、手を挿入した時に押しボタンスイッチを押すことにより、手が挿入されたことを検知することができる。
【００７４】
（実施の形態６）
次に、本発明の実施の形態６について図面を参照しながら説明する。なお、実施の形態１乃至５と同一のものは同一番号を付し、その詳細な説明を省略する。
【００７５】
図６に示すように、手乾燥装置１はタイマー部１３で一定時間、たとえば１０秒間運転する構成としたものである。
【００７６】
上記構成において、機械的スイッチ１２により手が検知された時に一定時間運転させ停止することにより効率的な乾燥を行うことができる。
【００７７】
（実施の形態７）
次に、本発明の実施の形態７について図面を参照しながら説明する。なお、実施の形態１乃至６と同一のものは同一番号を付し、その詳細な説明を省略する。
【００７８】
図７に示すように、手乾燥装置１は赤外線を照射する赤外線発光素子１４、たとえば赤外発光ＬＥＤと赤外線を受光する赤外線受光素子１５、たとえば赤外線フォトトランジスタを組合せて手検知手段９としたものである。
【００７９】
上記構成において、手が挿入された場合に赤外線発光素子１４から照射された赤外線が、手に反射し、赤外線受光素子１５に受光され、手を検知することができる手乾燥装置が得られる。
【００８０】
なお、本実施の形態７では赤外線発光素子１４と赤外線受光素子１５を同面上の位置とし、赤外線発光素子１４から照射された赤外線が手に反射し、赤外線受光素子１５に入力される反射式としたが、赤外線発光素子１４と赤外線受光素子１５は対向する位置とし、赤外線発光素子１４から赤外線受光素子１５へ入力される赤外線が、手に遮られることにより手を検知する透過式においても同様の作用効果をもたらすことは言うまでもない。
【００８１】
（実施の形態８）
次に、本発明の実施の形態８について図面を参照しながら説明する。なお、実施の形態１乃至７と同一のものは同一番号を付し、その詳細な説明を省略する。
【００８２】
図８に示すように、手乾燥装置１は測距センサー１６、たとえば半導体位置検出素子を使用したものを手検知手段９としたものである。測距センサー１６としては、距離が計測できればよく、例えば、半導体位置検出素子などがある。
【００８３】
上記構成において、手が挿入された場合に測距センサー１６が測定した手への距離が、設定値以内、たとえば１０ｍｍから５０ｍｍの場合に手があると検知することができる。
【００８４】
（実施の形態９）
次に、本発明の実施の形態９について図面を参照しながら説明する。なお、実施の形態１乃至８と同一のものは同一番号を付し、その詳細な説明を省略する。
【００８５】
図９に示すように、手乾燥装置１は吸引ノズル部６の近傍にオゾン発生装置１７を設けたものである。
【００８６】
上記構成において、オゾンを発生させることにより細菌が繁殖し難くなり、吸引ノズル部６を清潔に保つことができる。
【００８７】
（実施の形態１０）
次に、本発明の実施の形態１０について図面を参照しながら説明する。なお、実施の形態１乃至９と同一のものは同一番号を付し、その詳細な説明を省略する。
【００８８】
図１０に示すように、手乾燥装置１は吸引ノズル部６の近傍にマイナスイオン発生装置１８、たとえば高圧電圧発生部と針状の放電電極により構成されたものを設けたものである。
【００８９】
上記構成において、マイナスイオンを発生させることにより細菌が繁殖し難くなり、吸引ノズル部６を清潔に保つことができる。
【００９０】
（実施の形態１１）
次に、本発明の実施の形態１１について図面を参照しながら説明する。なお、実施の形態１、２、３、４、５、６、７、８、９、１０と同一のものは同一番号を付し、その詳細な説明を省略する。
【００９１】
図１１に示すように、手乾燥装置１は吸引路７の内部にオゾン発生装置１７を設けたものである。
【００９２】
上記構成において、オゾンを発生させることにより細菌が繁殖し難くなり、吸引路７の内部を清潔に保つことができる。
【００９３】
（実施の形態１２）
次に、本発明の実施の形態１０について図面を参照しながら説明する。なお、実施の形態１、２、３、４、５、６、７、８、９、１０、１１と同一のものは同一番号を付し、その詳細な説明を省略する。
【００９４】
図１２に示すように、手乾燥装置１は吸引路７の内部にマイナスイオン発生装置１８を設けたものである。
【００９５】
上記構成において、マイナスイオンを発生させることにより細菌が繁殖し難くなり、吸引路７の内部を清潔に保つことができる。
【００９６】
（実施の形態１３）
次に、本発明の実施の形態１３について図面を参照しながら説明する。なお、実施の形態１、２、３、４、５、６、７、８、９、１０、１１、１２と同一のものは同一番号を付し、その詳細な説明を省略する。
【００９７】
図１３に示すように、手乾燥装置１は吸引路７の内部に殺菌灯１９を設けたものである。
【００９８】
上記構成において、殺菌灯１９を点灯させ紫外線を照射することにより細菌が繁殖し難くなり、吸引路７の内部を清潔に保つことができる。
【産業上の利用可能性】
【００９９】
水滴の飛散を防止した乾燥ができることにより、水洗いした後の乾燥手法において、水滴の飛散を防止した乾燥を行うことができる。
【図面の簡単な説明】
【０１００】
【図１】本発明の実施の形態１の手乾燥装置の構成を示す概略図
【図２】本発明の実施の形態２の手乾燥装置の構成を示す概略図
【図３】本発明の実施の形態３の手乾燥装置の構成を示す概略図
【図４】本発明の実施の形態４の手乾燥装置の構成を示す概略図
【図５】本発明の実施の形態５の手乾燥装置の構成を示す概略図
【図６】本発明の実施の形態６の手乾燥装置の構成を示す概略図
【図７】本発明の実施の形態７の手乾燥装置の構成を示す概略図
【図８】本発明の実施の形態８の手乾燥装置の構成を示す概略図
【図９】本発明の実施の形態９の手乾燥装置の構成を示す概略図
【図１０】本発明の実施の形態１０の手乾燥装置の構成を示す概略図
【図１１】本発明の実施の形態１１の手乾燥装置の構成を示す概略図
【図１２】本発明の実施の形態１２の手乾燥装置の構成を示す概略図
【図１３】本発明の実施の形態１３の手乾燥装置の構成を示す概略図
【図１４】従来の手乾燥装置の構成を示す概略図
【符号の説明】
【０１０１】
１      手乾燥装置
２      手挿入部
３      送出ノズル部
４      送風路
５      送風手段
６      吸引ノズル部
７      吸引路
８      吸引手段
９      手検知手段
１０    制御部
１１    送風吸引手段
１２    機械的スイッチ
１３    タイマー部
１４    赤外線発光素子
１５    赤外線受光素子
１６    測距センサー
１７    オゾン発生装置
１８    マイナスイオン発生装置
１９    殺菌灯
１０１  手乾燥装置
１０２  電動送風機
１０３  送風路
１０４  ノズル
１０５  乾燥室
【図１】
2008188143.tif 000003
【図２】
2008188143.tif 000004
【図３】
2008188143.tif 000005
【図４】
2008188143.tif 000006
【図５】
2008188143.tif 000007
【図６】
2008188143.tif 000008
【図７】
2008188143.tif 000009
【図８】
2008188143.tif 000010
【図９】
2008188143.tif 000011
【図１０】
2008188143.tif 000012
【図１１】
2008188143.tif 000013
【図１２】
2008188143.tif 000014
【図１３】
2008188143.tif 000015
【図１４】
2008188143.tif 000016